(57)【要約】【課題】タッチスクリーン上に残る入力パターンの痕跡や他人による覗き見から、情報通信端末のロックを解除するロックパターンが第三者に推測され得る。【解決手段】  情報通信端末の表示部の上下方向を検知し、上下方向に対して所定の方向に反転軸を定め、予め登録されたロックパターンを反転軸に対して反転した反転ロックパターンを保持し、入力されるジェスチャパターンを受け付け、ジェスチャパターンと反転ロックパターンとを比較し、ジェスチャパターンと反転ロックパターンとが一致した場合にロック解除を行う。【選択図】      図３
2015049737.tif 000002
【特許請求の範囲】
【請求項１】
情報通信端末の表示部の上下方向を検知し、前記上下方向に対して所定の方向に反転軸を定め、
予め登録されたロックパターンを前記反転軸に対して反転した反転ロックパターンを保持し、
入力されるジェスチャパターンを受け付け、前記ジェスチャパターンと前記反転ロックパターンとを比較し、
前記ジェスチャパターンと前記反転ロックパターンとが一致した場合にロック解除を行う
ことを特徴とする情報通信端末のロック解除方法。
【請求項２】
前記ロックパターンは格子状に配置された格子点を通るパターンであり、
前記格子点の配置が異方性を有する
ことを特徴とする請求項１に記載の情報通信端末のロック解除方法。
【請求項３】
前記格子点の配置は長方形状である
ことを特徴とする請求項２に記載の情報通信端末のロック解除方法。
【請求項４】
前記反転軸を定めた場合に、前記表示部の表示をポジネガ反転することを特徴とする請求項１乃至３のいずれか一項に記載の情報通信端末のロック解除方法。
【請求項５】
前記表示は、前記格子点を含む領域の表示であることを特徴とする請求項４に記載の情報通信端末のロック解除方法。
【請求項６】
前記反転ロックパターンは、前記予め登録されたロックパターンを上下反転、左右反転、上下左右反転、および反転しないパターン、のいずれか一のパターンであることを特徴とする請求項１乃至５のいずれか一項に記載の情報通信端末の解除方法。
【請求項７】
前記上下方向の検知は、加速度センサおよび重力センサの少なくとも一つを用いて行うことを特徴とする請求項１乃至６のいずれか一項に記載の情報通信端末の解除方法。
【請求項８】
前記予め登録されたロックパターンが、情報通信端末およびサーバの少なくとも一に登録されていることを特徴とする請求項１乃至７のいずれか一項に記載の情報通信端末のロック解除方法。
【請求項９】
前記ロック解除を行うステップにおいて、前記情報通信端末および所定の外部機器の少なくとも一を解除する
ことを特徴とする請求項１乃至８のいずれか一項に記載の情報通信端末のロック解除方法。
【請求項１０】
情報通信端末の表示部の上下方向を検知する外部センサと、
前記表示部に表示された所定の表示点を通って入力されたジェスチャパターンを検出するタッチスクリーンと、
前記上下方向に基づいて前記表示部の所定の方向に反転軸を定める制御部と、
予め登録されたロックパターンを前記反転軸に基づいて反転した反転ロックパターンを保持する記憶部と、を含み、
前記制御部は、前記ジェスチャパターンと前記反転ロックパターンとを比較し、これらが一致した場合にロック解除を行う
ことを特徴とするロック機構を備えた情報通信端末。
【発明の詳細な説明】
【技術分野】
【０００１】
本発明は、情報通信端末のセキュリティ技術に関し、特に、ジェスチャパターンを利用した情報通信端末のロック解除方法およびロック機構を備えた情報通信端末に関する。
【背景技術】
【０００２】
情報通信端末において、そのタッチスクリーン上で所定のジェスチャ操作を行うことで、情報通信端末が使用可能状態になる技術が知られている。これは、セキュリティ上の配慮であり、第三者による情報通信端末の使用を未然に防ぐためである。所定のジェスチャ操作とは、例えば、タッチスクリーン上に表示された３行３列の格子状に配置されたポイントを、指先などで辿っていくものである。
【０００３】
より具体的には、このジェスチャ操作によるパターンと、ロック解除のキーとなるロックパターンとが一致した場合に、ロック解除機構が働いて情報通信端末が使用可能状態になるものである。このロック解除方法は、暗証番号を用いたロック解除方法のように数字や英文字などが介在しない。そのため、これらの文字コードが漏れたり盗まれたりする恐れはない。その一方で、タッチスクリーンを指先などで辿る際に、タッチスクリーンに残った皮脂等の痕跡からロックパターンが推測される恐れがあった。
【０００４】
このような情報通信端末のロック解除方法の一例が、特許文献１に記載されている。特許文献１に記載のロック解除方法は、ユーザがパターンロックを解除しようとする毎に、ロックパターンを入力するユーザがタッチスクリーン上で毎回同じ位置をなぞることがないように制御することとしている。例えば、タッチスクリーンの上方向を変える表示を行う（つまり、格子状のパターンに対して入力するロックパターンの上下左右方向が変化する）、格子状のパターンを拡大または縮小して表示する、そしてタッチスクリーン中心からずらした位置に格子状のパターンを表示すること、などが記載されている。その結果、タッチパネル上でユーザが同じ位置を毎回なぞらなくなり、タッチスクリーン上に残る指紋跡から、第三者にロックパターンが推測される危険性が低減するとしている。
【先行技術文献】
【特許文献】
【０００５】
【特許文献１】特開２０１３−１６１１５号公報
【発明の概要】
【発明が解決しようとする課題】
【０００６】
しかしながら、特許文献１に記載のロック解除方法には次のような問題があった。格子状のパターンに関して、上方向を変更、拡大や縮小、あるいは中心位置からシフト、等を行って表示する特許文献１に記載の方法によれば、タッチパネル上で指先などが辿ったパターンの痕跡の多様性は増す。従って、タッチスクリーンをなぞる部分は毎回同じ位置ではなくなる。その一方で、タッチスクリーン上に残る入力パターンの痕跡の間には図形の相似性が残存しており、特に、格子状のパターンに関して、その拡大や縮小、あるいは中心位置からシフト等を行って表示する場合は顕著である。従って、タッチパネル上で指先などが辿ったパターンの痕跡の多様性は増すものの、これら痕跡の間に残存している相似性からロックパターンが推測される恐れがあった。
【０００７】
また、格子状パターンの上方向の変更を行って表示する場合、タッチパネル上で指先などが辿った痕跡は、互いに重ね合わせた図形となる。従って、タッチパネル上で指先が辿った重ね合わせの跡からは、ロックパターンを推測することは困難となる。しかしながら、指先の動きを他人が覗き見しているような場合には、ロックパターンと相似関係にあるその動きのパターンから、ロックパターンが他人に推測される恐れがあった。
【０００８】
以上のように、特許文献１に記載された関連するロック解除方法では、タッチスクリーン上に残る入力パターンの痕跡や、他人による覗き見から、情報通信端末のロックを解除するロックパターンが第三者に推測され得るという問題があった。
【０００９】
本発明の目的は、上述した課題である、情報通信端末のロックを解除するロックパターンが第三者に推測され得る、という課題を解決する情報通信端末のロック解除方法およびロック機構を備えた情報通信端末を提供することにある。
【課題を解決するための手段】
【００１０】
本発明の情報通信端末のロック解除方法は、情報通信端末の表示部の上下方向を検知し、上下方向に対して所定の方向に反転軸を定め、予め登録されたロックパターンを反転軸に対して反転した反転ロックパターンを保持し、入力されるジェスチャパターンを受け付け、ジェスチャパターンと反転ロックパターンとを比較し、ジェスチャパターンと反転ロックパターンとが一致した場合にロック解除を行う。
【００１１】
本発明のロック機構を備えた情報通信端末は、情報通信端末の表示部の上下方向を検知する外部センサと、記表示部に表示された所定の表示点を通って入力されたジェスチャパターンを検出するタッチスクリーンと、上下方向に基づいて表示部の所定の方向に反転軸を定める制御部と、予め登録されたロックパターンを反転軸に基づいて反転した反転ロックパターンを保持する記憶部とを含み、制御部はジェスチャパターンと反転ロックパターンとを比較し、これらが一致した場合にロック解除を行う。
【発明の効果】
【００１２】
本発明の情報通信端末のロック解除方法およびロック機構を備えた情報通信端末によれば、情報通信端末のロックを解除するロックパターンが第三者に推測される危険性を低減することが可能となる。
【図面の簡単な説明】
【００１３】
【図１】本発明の第１の実施形態に係るロック機構を備えた情報通信端末の概観図である。
【図２】本発明の第１の実施形態に係る情報通信端末のロック解除方法およびロック機構を備えた情報通信端末の構成を示すブロック図である。
【図３】本発明の第１の実施形態に係る情報通信端末のロック解除方法およびロック機構を備えた情報通信端末を説明するためのジェスチャパターンの図である。
【図４】本発明の第１の実施形態に係る情報通信端末のロック解除方法およびロック機構を備えた情報通信端末を説明するための表示モードを示す図である。
【図５】本発明の第２の実施形態に係る情報通信端末のロック解除方法およびロック機構を備えた情報通信端末を説明するための表示モードを示す図である。
【発明を実施するための形態】
【００１４】
次に、本発明を実施するための形態について図面を参照して説明する。なお、以下の説明では、同じ機能を有するものには同じ符号をつけ、その説明を省略する場合がある。
【００１５】
（第１の実施形態）
図１は、本発明の第１の実施形態に係るロック機構を備えた情報通信端末の構成を示す概観図である。情報通信端末１の概観を表す図であり、情報通信端末１はタッチスクリーン２０と筐体１０とを備えている。
【００１６】
タッチスクリーン２０は、表示機能と接触感知機能を備えている。表示機能を使って、タッチスクリーン２０に格子状ポイント１００や方向表示３００などを表示する。格子状ポイント１００は、例えば、３行３列の格子状に配置されたポイント群である。３行３列のうちの任意のポイントを辿る指先の動き（ジェスチャ操作）を、接触感知機能を使って検出する。
【００１７】
また、方向表示３００は、格子状ポイントに沿って入力するパターンのモードを示すものである。例えば、格子状ポイントに沿って入力するパターンが、ロックパターンの左右反転、上下反転、あるいは上下左右反転パターンなどのいずれかであるかを指示する。また、反転しない状態において、格子状ポイントの上下左右方向を示す場合もある。
【００１８】
図２は、本発明の第１の実施形態に係るロック機構を備えた情報通信端末１の構成を示すブロック図である。ロック機構を備えた情報通信端末１は、タッチスクリーン２０、外部センサ３０、制御部４０、記憶部５０を少なくとも含む。さらに、無線部、音声出力部、音声入力部などを含んでいてもよい。
【００１９】
外部センサ３０には、加速度センサ３１、重力センサ３２などが含まれる。図示していないこれらのセンサを使用して、情報通信端末１の姿勢を検出する。つまり、タッチスクリーン２０について、画面縦長か、画面横長か、あるいは画面が上下さかさまか、等のどの状態かを検出する。
【００２０】
制御部４０は、外部センサ３０の検出結果に基づいて、格子状ポイントに沿って入力するパターンとロックパターンとの対称軸となる反転軸を、タッチスクリーン２０に対して所定の方向に定める。ここで、所定の方向の反転とは、上下反転、左右反転、上下左右反転などである。
【００２１】
記憶部５０は、ロックパターンそのもの（原版）、あるいは、そのパターンを上述の反転軸に基づいて反転した状態などの複数の状態で保持している。なお、ロックパターンそのもの（原版）は予め登録されており、その登録場所は情報通信端末内であっても、サーバなどの外部機器内であっても良い。
【００２２】
次に、ロック解除方法について説明する。制御部４０は、入力されるジェスチャパターンがロックパターンに対して、左右反転、上下反転、上下左右反転、あるいは反転しないパターン、の４通りの中から任意のパターンを選択する。選択したパターンに関する反転軸の情報を、ユーザに対して制御部４０は報知する。ユーザへの報知は、例えば、格子状ポイントのポジネガ反転、方向表示３００の使用などにより行う。ユーザは報知された反転軸の情報に対応したジェスチャパターンを入力する。
【００２３】
ユーザによる入力操作後、制御部４０は、情報通信端末１のタッチスクリーン２０に入力されたジェスチャパターンと、選択したロックパターンとを比較する。入力されたジェスチャパターンと選択したロックパターンとが一致した場合、制御部４０はロック解除を行う。一致しない場合には、制御部４０は、ロック解除を行わず、一致しない旨をユーザに報知する。また、一致しない場合において、反転軸を設定し直して、新たに反転軸に関する情報をユーザに報知してもよい。
【００２４】
なお、ユーザに対する報知は、上述の格子状ポイント部分のポジネガ反転に限らない。例えば、タッチスクリーン２０上の表示すべてをポジネガ反転してもよい。あるいは、格子状ポイントの一部分だけをポジネガ反転して、そのポジネガ反転位置によって反転軸に関する情報をユーザに報知してもよい。
【００２５】
図３は、本発明の第１の実施形態に係る情報通信端末のロック解除方法およびロック機構を備えた情報通信端末を説明するためのジェスチャパターンの図である。図３（Ａ）におけるジェスチャパターン２００は、予め登録されたロックパターンである。また、図３（Ｂ）におけるジェスチャパターン２１０は、予め登録されたロックパターンが左右反転している場合である。制御部４０は、図３（Ｂ）の場合には「選択したロックパターンに関する反転軸の情報」として「反転」および「左右方向」をユーザに対して報知する。なお、図３（Ａ）の場合には、制御部４０は「反転」の情報を報知しない。
【００２６】
図４は、本発明の第１の実施形態に係る情報通信端末のロック解除方法およびロック機構を備えた情報通信端末を説明するための表示モードを示す図である。タッチスクリーン２０上に、ポジネガ反転した格子状ポイント１３０を表示している。「選択したロックパターンに関する反転軸の情報」に関して「反転」の情報を、ポジネガ反転した格子状ポイント１３０の表示を使ってユーザに報知するものである。
【００２７】
以上説明してきたように、本実施形態に係る情報通信端末のロック解除方法およびロック機構を備えた情報通信端末は、ロックパターンの反転パターンを入力パターンとして利用するものであり、タッチパネル上で指先などが辿った痕跡に、鏡像反転したパターンが混在するものである。そのため、入力パターンの痕跡や覗き見などからロックパターンが推測される可能性が関連する解除方法よりも減少する。なぜなら、関連する解除方法のように、ロックパターンの上方向を変更、その拡大や縮小、あるいは中心位置からシフトする操作などを行っても、入力パターンとロックパターンとの間には、図形の相似性が保たれている。そのため、関連する解除方法では、これらの間の相似性からロックパターンが推測される可能性が大きいからである。このように、本実施形態に係る情報通信端末のロック解除方法およびロック機構を備えた情報通信端末によれば、情報通信端末のロックを解除するロックパターンが第三者に推測される危険性を低減することが可能となる。
【００２８】
（第２の実施形態）
図５は、本発明の第２の実施形態に係る情報通信端末のロック解除方法およびロック機構を備えた情報通信端末を説明するための表示モードを示す図である。図５に示す表示モード図と図１に示す概観図との差異は、格子状に表示されたポイントの配置にある。すなわち、本実施形態に係る格子状に表示されたポイントは、４行３列の配置である。つまり、３行３列のような正方形状の配置ではなく、タッチスクリーンの縦横比に対応した長方形状の配置である。この配置によって以下のような作用および効果を有する。
【００２９】
まず、３行３列から４行３列にポイント数が増加することで、ジェスチャパーンのバリエーションが増加する。これによってロックパターンの推測によるロック解除の困難性が増大する。一方、関連する解除方法のように、格子状のパターンの上下左右方向を変更する方法では、上下方向と左右方向の格子数が同じであることが必要である。そのため、関連する解除方法は、このような４行３列のポイント配置（長方形状のポイント配置）には対応できない。
【００３０】
なお、長方形状の配置として、ここでは４行３列の配置を挙げたが、この例に限られるものではない。タッチスクリーンの縦横比などに応じたその他の配置とすることも可能である。
【００３１】
本発明は上記実施形態に限定されることはなく、特許請求の範囲に記載した発明の範囲内で、種々の変形が可能であり、それらも本発明の範囲内に含まれることはいうまでもない。例えば、ロック解除を行うステップにおいて、情報通信端末を仲介して、例えば、家庭内ネットワークにおける機器のような所定の外部機器のロックを解除してもよい。また、情報通信端末のロック解除に併せて、所定の外部機器のロックを解除してもよい。
【符号の説明】
【００３２】
１    情報通信端末
１０    筐体
２０    タッチスクリーン
３０    外部センサ
３１    加速度センサ
３２    重力センサ
４０    制御部
５０    記憶部
１００    格子状ポイント
１１０    ３×３配置の格子状ポイント
１２０    ４×３配置の格子状ポイント
１３０    ポジネガ反転した格子状ポイント
２００    ジェスチャパターン
２１０    左右反転したジェスチャパターン
３００    方向表示
【図１】
2015049737.tif 000003
【図２】
2015049737.tif 000004
【図３】
2015049737.tif 000005
【図４】
2015049737.tif 000006
【図５】
2015049737.tif 000007